(57)【要約】      （修正有）【課題】容器本体胴部に安定的に固定させ、ずり落ちを防止し、また、環状部材の締め付け過度による容器本体の破損を防止することができ、さらに、容器内の気密性を保持させることが可能な取手を提供する。【解決手段】容器本体３の胴部３１に取り付けられる取手２であって、容器本体３の胴部３１に巻き付けられる環状部材２１と、環状部材２１の対向位置に係止される把持部材２２とを備え、環状部材２１の内面には幅方向略中央部に環状凹部が形成されていることを特徴とする。【選択図】図１
0003195733.tif 000002
【実用新案登録請求の範囲】
【請求項１】
容器本体の胴部に取り付けられる取手であって、
容器本体の胴部に巻き付けられる環状部材と、環状部材の対向位置に係止される把持部材とを備え、
環状部材の内面には幅方向略中間部に環状凹部が形成されていることを特徴とする取手。
【請求項２】
請求項1に記載の取手が容器本体の胴部に取り付けられたことを特徴とする取手付き容器。
【考案の詳細な説明】
【技術分野】
【０００１】
本考案は、例えば塗料、接着剤、シーリング材などの化学品、薬品、食品などを収容する容器の胴部に取り付けられる取手および取手付き容器に関する。
【背景技術】
【０００２】
この種の取手としては、上部が開口した略円筒状容器の胴部の対向位置に取手取付け用の貫通孔を設け、その貫通孔に取手の両端部をそれぞれ挿入し、取手が容器本体から抜けないように両端部を折り曲げられた抜止め部を設けたものが知られている（例えば、下記特許文献１）。しかしながら、取手は容器を持ち運びする際に起立するように揺動自在とする必要がある。このため、容器の胴部の貫通孔と取手との間にはクリアランスを設けており、容器内は気密性を保つことができず、気密性を有する内容物に対しては不向きであるという問題があった。
【０００３】
また、ラチェット構造を設けた硬質プラスチックの帯状バンドを環状にすることにより、胴部に巻きつけ、バンドに取手を取り付けたものが知られている（例えば、下記特許文献２）。しかしながら、硬質バンドは変形しづらいため、胴部とバンドとの密着性が低く、滑り落ちやすいという問題があった。また、バンドを強く締め付けると、容器が紙などの側壁強度が弱い材質の場合には潰れてしまうという問題があった。特に、容器の胴部が上方に広がったテーパ形状である場合には、バンドが容器の上方側の外径の大きい側のみに片当たりした状態で当接してしまうため、より滑り落ちやすいという問題があった。
【先行技術文献】
【特許文献】
【０００４】
【特許文献１】実用新案登録第３０４６８１１号公報
【特許文献２】特開平８-５８８０４号公報
【考案の概要】
【課題を解決するための手段】
【０００５】
本考案者らは上記課題を解決すべく、鋭意研究を重ねた結果、請求項１に係る考案は、容器本体の胴部に取り付けられる取手であって、容器本体の胴部に巻き付けられる環状部材と、環状部材の対向位置に係止される把持部材とを備え、環状部材の内面には幅方向略中間部に環状凹部が形成されていることを特徴とする取手を提供するものである。
【０００６】
これによれば、容器本体の胴部に取り付けられる取手において、容器本体の胴部に巻き付けられる環状部材の内面に幅方向略中間部に環状凹部が形成されていることにより、環状凹部を挟んだ両側において、容器の胴部と当接させることができるため、取手を容器本体の胴部に安定的に固定させ、ずり落ちを防止することができる。また、環状部材の過度の締め付けによる容器本体の潰れを防止することができる。さらに、容器本体の胴部に貫通孔を設ける必要がないため、容器内の気密性を保持させることが可能である。
【０００７】
請求項２に係る考案は、請求項１に係る取手が容器本体の胴部に取り付けられたことを特徴とする取手付き容器を提供するものである。
【０００８】
これによれば、取手が容器本体の胴部に取り付けられた取手付き容器において、容器本体の胴部に巻き付けられる環状部材の内面に幅方向略中間部に環状凹部が形成されていることにより、環状凹部を挟んだ両側で容器の胴部と当接させることができるため、取手を容器本体の胴部に安定的に固定させ、ずり落ちを防止することができる。また、環状部材の過度の締め付けによる容器本体の潰れを防止することができる。さらに、容器本体の胴部に貫通孔を設ける必要がないため、容器内の気密性を保持させることが可能である。
【考案の効果】
【０００９】
本考案によれば、取手を容器本体の胴部に安定的に固定させ、ずり落ちを防止することができる。また、環状部材の過度の締め付けによる容器本体の潰れを防止することができる。
【図面の簡単な説明】
【００１０】
【図１】本考案に係る取手付き容器の斜視図である。
【図２】取手付き容器の一部を切り欠いて示す正面図である。
【図３】本考案に係る取手の環状部材の周方向に直交する断面図である。
【図４】取手付き容器の一部を拡大して示す断面図である。
【図５】他の実施形態に係る取手の環状部材の周方向に直交する断面図である。
【考案を実施するための形態】
【００１１】
以下、本考案のその好ましい実施形態について図面を参照して説明する。
【００１２】
本考案に係る実施形態について図１から図４を参照しつつ説明するが、本考案はこれらに限定されるものではない。
【００１３】
図１は、本考案に係る取手付き容器を示す斜視図であり、図２は、取手付き容器の一部を切り欠いて示す正面図であり、図３は、本考案に係る取手の環状部材の周方向に直交する断面図であり、図４は、取手付き容器の一部を拡大して示す断面図である。
【００１４】
この実施形態における取手付き容器１は、取手２と容器本体３とを有する。取手２は、容器本体３の胴部３１に巻き付けられる環状部材２１と、環状部材２１の対向位置に係止される把持部材２２とを備えている。
【００１５】
環状部材２１は長尺の帯状部材の一端と他端とを接着することにより環状に形成されている。環状部材２１は硬質プラスチックや金属などの硬質素材からなり、硬質プラスチックとしては、ポリエチレン、ポリプロピレン、ナイロン等が好ましい。硬質プラスチックの場合、環状部材２１は、射出成形などの成形方法によって環状に成形されたものでもよい。また、ラチェット構造等により内径を自在に調整できるものであってもよい。
【００１６】
容器本体３の胴部３１と接する環状部材２１の内面側には幅方向略中間部に周方向に沿って環状凹部２３が形成されている。環状部材２１の環状凹部２３を挟んだ両側には容器本体３の胴部３１に巻き付けた際に、容器本体３の胴部３１と当接する当接部２４が形成されている。
【００１７】
環状部材２１の外面側には把持部材２２を係止するための円筒状の係止凸部２５が形成されている。係止凸部２５の先端部は把持部材２２の抜けないように径が大きくなっている。把持部材２２の両端付近に設けられた係止孔２６に、係止凸部２５を挿入することにより、把持部材２２が環状部材２１の対応位置に揺動自在に係止されている。把持部材２２は逆Ｕ字形状であり、硬質の素材により形成されている。好ましくは、硬質プラスチックや金属である。把持部材２２は１本でも複数本設けられてもよい。
【００１８】
容器本体３は、胴部３１および底部３２を有する。容器本体３の胴部３１は、上方に広がったテーパ筒状となされている。したがって、内容物の収容前や容器の使用後には、複数個の容器を重ね合わせた状態で、保管や輸送を行うことができる。
【００１９】
胴部３１は複数の層からなり、胴部３１の内面を構成する１層の内面材層と、内面材層の外側を構成する少なくとも１層以上の基材層とを有している（図示略）。
【００２０】
基材層は、例えば紙管原紙等の板紙から構成されている。内面材層は、内面材により構成されている。この内面材は、アルミニウム箔、金属蒸着フィルム、ナイロンフィルム等のバリア性を有するシートよりなるバリア材と、ポリエチレン、ポリプロピレン等の熱可塑性樹脂よりなりかつバリア材の内面に積層されたシーラント材と、基材層との接着性に優れたクラフト紙等よりなりかつバリア材の外面に積層された紙材とで構成されている。したがって、内面材層は、シーラント層、バリア層および紙層よりなる３層構造のものである。基材層のさらに外側にラベル層を設けることもできる。ラベル層は、コート紙等の表面に所要の表示が印刷等によって施されたラベルにより構成されている。内層材層と基材層とラベル層とは接着剤により貼合されてなる。
【００２１】
胴部３１の上縁部には外方向に曲げられた外曲げ部３３が形成されている。外曲げ部３３の上面部３４のシーラント層とメンブランとをヒートシールすることにより密封することができる。また蓋体を接合させることもできる（図示略）。
【００２２】
底部３２は、内面材層と外側を構成する少なくとも１層以上の基材層とを有している。基材層は、例えば紙管原紙等の板紙から構成されている。内面材層は、胴部３１と同様に構成されている。胴部３１は底部３２と一緒に内側に折り曲げ接着させることにより、底部３２が固定されている。
【００２３】
取手２の容器本体３への取り付け方法は、取手２の環状部材２１に容器本体３を容器本体３の下部側から挿入していくことにより装着される。環状部材２１の当接部２４の内径は胴部３１の下端部外径よりも大きく、胴部３１の上端部外径よりも小さくなるように設計されている。
【００２４】
容器本体３の上方側に位置する第１当接部２４１がまず容器本体３の胴部３１と接する。さらに環状部材２１を上方に押し上げると、第１当接部２４１の内径よりも胴部３１の外径が大きくなり、第１当接部２４１が外側に広がる。これに伴って、容器本体３の下方側に位置する第２当接部２４２の内径が狭まり、第２当接部２４２が容器本体３の胴部３１と接する。さらに、環状部材２１を上方に押し上げると、環状部材２１の上端部は容器本体３の外曲げ部３３の下端部と接することにより固定される。環状部材２１の上方側の第１当接部２４１と下方側の第２当接部２４２とにより、容器本体３の胴部３１と当接させることにより保持するため、取手２を容器本体３の胴部３１に安定的に固定させ、ずり落ちを防止することができる。さらに、環状部材２１の巻き締め圧を分散させることができ、容器本体３の胴部３１の潰れを防止することができる。
【００２５】
図５は他の実施形態に係る取手の環状部材の周方向に直交する断面図である。実施形態において、環状部材２１の外面側が凸状に湾曲したものについて説明したが、図５（ａ）に示すように平坦面を有するもの、図５（ｂ）に示すように凹状に湾曲したものであってもよい。
【００２６】
環状部材２１の環状凹部２３は幅方向中央部に１本設けられたものを説明したが、図５（ｃ）に示すように環状凹部２３を複数本設けることもできる。これにより、幅方向中央部に当接部２４をさらに設けることができ、より安定的に取手２を固定することができる。また、当接部の形状は特に限定されるものではなく、図５（ｄ）に示すように当接部を平面状に設けてもよい。
【００２７】
また、環状凹部２３は環状部材２１の周方向に連続したものについて説明したが、周方向に一部途切れたものであってもよい。また、環状凹部２３の形状は特に限定されるものではない。
【００２８】
また、容器本体３は胴部３１が上方に広がったテーパ形状のものについて説明したが、容器本体３の形状はこれに限定されるものではなく、胴部３１の外径が一定である円筒形状のものであってもよい。
【００２９】
また、容器本体３の胴部３１上縁部の外曲げ部３３の形状は特に限定されるものではなく、外側円弧状に曲げられたものやフランジ状のものであってもよい。
【００３０】
また、容器本体３は紙製容器について説明したが、素材は特に限定されるものではなく、プラスチックや金属製などであってもよい。
【符号の説明】
【００３１】
１  取手付き容器
２  取手
２１  環状部材
２２  把持部材
２３  環状凹部
２４  当接部
２５  係止凸部
２６  係止孔
３  容器本体
３１  胴部
３２  底部
３３  外曲げ部
３４  上面部
【図１】
0003195733.tif 000003
【図２】
0003195733.tif 000004
【図３】
0003195733.tif 000005
【図４】
0003195733.tif 000006
【図５】
0003195733.tif 000007